(57)【特許請求の範囲】
【請求項１】
通話のためのスピーカ（２２）、マイク（２１）、前記通話を行なうためのボタン（２４）を有し上筐体（２５）、下筐体（２６）で構成されるインターホンの筐体構造であって、
前記上筐体には、前記インターホンを操作しているうちに汚れやすい前記ボタンが取り付けられると共に、前記上筐体から取り外して交換するためのパネル（２７）を着脱自在に被蓋したことを特徴とするインターホンの筐体構造。
【請求項２】
前記パネルには傾斜面（２９）を有する嵌合爪（３０）を設け、前記上筐体には前記嵌合爪を係止する係止部材（３２）を設け、前記上筐体と前記下筐体との間の合わせ面には薄板状取外し部材（３５）が入るようにスリット（３４）を設け、前記薄板状取外し部材で前記嵌合爪と前記係止部材の係止を解除できるように前記嵌合爪の前記傾斜面を前記スリットの延長上に配置させたことを特徴とする請求項１記載のインターホンの筐体構造。
【発明の詳細な説明】
【０００１】
【発明の属する技術分野】
本発明は、インターホンの筐体構造に係わり、特に、インターホンの意匠を変更して製造することを容易にし、また、メンテナンスを容易にするインターホンの筐体構造に関する。
【０００２】
【従来の技術】
インターホン装置は、玄関などに設置される子機と、室内に設置される親機とが幹線で接続されたものであり、子機には、子機の設置場所の周囲の映像を撮像するＣＣＤカメラ、親機間で通話を行うための子機マイク、子機スピーカ及び、親機を呼び出すための呼出ボタン等が備えられる。また、親機には、子機のＣＣＤカメラから送られる映像を出画するＣＲＴモニタ、子機と通話を行うための親機マイク、親機スピーカ、通話を操作するための通話ボタン、モニタを操作するモニタボタン等が設けられる。
【０００３】
このようなインターホン装置の親機は、図４に示すように、ＣＲＴモニタ４１、親機マイク４２、親機スピーカ４３が、基板４４に設置され、上筐体４５、下筐体４６から構成される筐体内に収納されて構成される。上筐体４５には、ＣＲＴモニタ４１に相当する部分に窓４１ａが設けられ、スピーカ４３が設けられる位置に複数のスリット（図示せず）を有し、また、マイク４２が設けられる位置に開口４２ａが設けられると共に、モニタボタン４７、通話ボタン４８が備えられる。
【０００４】
【発明が解決しようとする課題】
しかしながら、このようなインターホン装置の筐体は、ＯＥＭ（original-equipment manufacturing）供給する場合、ブランド名だけを変えたり、色違いの場合の小ロット生産をする場合、また、筐体の意匠を変更して製造する場合、それぞれについてロットを組まなければならなかったために、ＯＥＭ供給品は、標準品に比べ、割高となり極端にコスト高になる原因となっていた。
【０００５】
本発明は、この難点を解決するためになされたもので、筐体の意匠を変更して製造することを容易にし、また、メンテナンスを容易にするインターホンの筐体構造を提供することを目的とする。
【０００６】
【課題を解決するための手段】
上記の目的を達成するために、本発明のインターホンの筐体構造は、通話のためのスピーカ、マイク、通話を行なうためのボタンを有し、上筐体、下筐体で構成されるインターホンの筐体構造であって、上筐体には、インターホンを操作しているうちに汚れやすいボタンが取り付けられると共に、上筐体から取り外して交換するためのパネルを着脱自在に被蓋したものである。
【０００７】
また、本発明のインターホンの筐体構造は、パネルには傾斜面を有する嵌合爪を設け、上筐体には嵌合爪を係止する係止部材を設け、上筐体と下筐体との間の合わせ面には薄板状取外し部材が入るようにスリットを設け、薄板状取外し部材で嵌合爪と係止部材の係止を解除できるように嵌合爪の傾斜面をスリットの延長上に配置させたものである。
【０００８】
このようなインターホンの筐体構造において、上筐体に、通話等のためのボタンを付けたパネルを着脱自在とし、パネルを変更することにより、色替えや意匠の変更をすることができ、ＯＥＭ供給に対して随意対応することができる。
【０００９】
また、パネルは嵌合爪の係止部材により簡単に上筐体に係止されて装着され、上筐体と下筐体の合わせ面の一部に設けたスリットから、薄板状取り外し部材を挿入することにより、嵌合爪の係止を解除し、パネルを容易に取り外すことができる。このために、パネルを交換することにより、メンテナンスも容易に行うことができる。
【００１０】
【発明の実態の形態】
以下、本発明のインターホンの筐体構造を適用した好ましい実施の形態例について図面を参照して詳述する。
【００１１】
本発明のインターホンの筐体構造が適用されるインターホン装置は、図１に示すように、玄関などに設置されるドアホン子機１と、室内に設置されるインターホン親機２とが幹線Ｌ１で接続されたものであり、ドアホン子機１には、ドアホン子機１が設置される周辺の映像を撮像するＣＣＤカメラ１１、インターホン親機２と通話を行うための子機マイク１２、子機スピーカ１３及びインターホン親機２を呼び出すための呼出ボタン１０が備えられる。インターホン親機２には、ドアホン子機１のＣＣＤカメラ１１から送られる映像を出画するＣＲＴモニタ２０、ドアホン子機１と通話を行うための親機マイク２１、親機スピーカ２２、ＣＲＴモニタ２０を動作させるモニタボタン２３、通話を操作するための通話ボタン２４等が設けられる。
【００１２】
このようなインターホン装置のインターホン親機２の筐体構造は、図２に示すように、上筐体２５と、下筐体２６を有し、内部にＣＲＴモニタ２０、親機マイク２１、親機スピーカ２２が収納される。上筐体２５の上面には、ＣＲＴモニタ２０用の窓２８ａと、親機マイク２１用のスリット２１ａと、親機スピーカ２２の放音用切り欠き２２ａとが設けられる。また、上筐体２５上には、上筐体２５に密着してパネル２７が設けられる。パネル２７には、上筐体２５のＣＲＴモニタ２０用の窓２８ａと一致した位置にＣＲＴモニタ２０用の窓２８ｂ、上筐体２５の親機スピーカ２２の放音用切り欠き２２ａと一致した位置に親機スピーカ２２用の複数の切り欠き２２ｂ、モニタボタン２３、通話ボタン２４等が設けられる。パネル２７は、ＯＥＭ供給に対応して、印刷内容の違うものや、着色変更等、適宜意匠を変更して作成される。
【００１３】
更に、パネル２７には、外周の一部に、先端部分に傾斜面２９が設けられた嵌合爪３０が備えられる。一方、図３に示すように、上筐体２５の上面下部には、切り欠き３１と、切り欠き３１に添ってパネル２７の嵌合爪３０を係止する係止部材３２とが設けられ、切り欠き３１にパネル２７の嵌合爪３０が挿入されると、係止部材３２により傾斜面２９が内方に押され、嵌合爪３０が板ばねとなり、傾斜面２９の先端が係止部材３２の先端まで挿入されると、嵌合爪３０が係止部材３２の先端部に係止されるようになっている。このようにして、パネル２７が上筐体２５に装着される。
【００１４】
また、上筐体２５と下筐体２６との合わせ面３３の一部には、スリット３４が設けられる。スリット３４は、上筐体２５の係止部材３２の先端に係止されるパネル２７の嵌合爪３０の傾斜面２９の下方位置に設けられる。スリット３４から薄板状の取外し部材３５を挿入することにより、上筐体２５の係止部材３２の先端に係止されるパネル２７の嵌合爪３０を上方に押し上げ、係止部材３２の係止を解除し、傾斜面２９を切り欠き３１から引き抜くことにより、パネル２７を上筐体２５から取り外すことができるようになっている。
【００１５】
【発明の効果】
以上の説明からも明らかなように、本発明のインターホンの筐体構造によれば、通話ボタンや、モニタボタン等が設けられるパネルを上筐体に着脱自在に被蓋する構成としたため、意匠の変更が容易になり、ＯＥＭ供給もパネルの変更のみで対応できる。また、集合住宅等で汚れやすいボタン部分が設けられるパネルを取り外し、新しいパネルと交換することにより、メンテナンスを容易に行うことができる。
【図面の簡単な説明】
【図１】本発明のインターホンの筐体構造を示した構成図。
【図２】本発明のインターホンの筐体構造の要部を示した図。
【図３】本発明のインターホンの筐体構造の要部の断面図。
【図４】従来例のインターホンの筐体構造を示した図。
【符号の説明】
２１・・・・・・マイク
２２・・・・・・スピーカ
２４・・・・・・通話ボタン
２５・・・・・・上筐体
２６・・・・・・下筐体
２７・・・・・・パネル
【図１】
0004316778.tif 000002
【図２】
0004316778.tif 000003
【図３】
0004316778.tif 000004
【図４】
0004316778.tif 000005